(57)【要約】【課題】デュプレクスモードに係る情報を用いて共存制御を実施することと無線通信装置間のインタフェースセットアップの両立が可能なネットワーク管理制御装置、無線通信装置、方法及びプログラムを提供する。【解決手段】１以上の無線通信装置が属するネットワークを示す情報、無線アクセス技術情報，動作可能周波数帯に係る情報、地理位置及び／又は領域に係る情報、デュプレクスモードに係る情報、又は、伝送時間間隔に係る情報を取得する第１の情報取得部と、前記情報を通信制御装置へ通知する第１の通知部と、前記情報に基づいて選定された推奨動作パラメータを取得する第２の情報取得部と、前記第２の情報取得部で取得された推奨動作パラメータを用いて、前記無線通信装置の近傍となりうる無線通信装置の情報を含むリストを生成する生成部と、前記リストおよび推奨動作パラメータを前記無線通信装置へ通知する第２の通知部と、を備えるネットワーク管理制御装置。【選択図】図１
2018020818.tif 000002
【特許請求の範囲】
【請求項１】
１以上の無線通信装置が属するネットワークを示す情報、無線アクセス技術情報、動作可能周波数帯に係る情報、地理位置及び／又は領域に係る情報、デュプレクスモードに係る情報、又は、伝送時間間隔に係る情報を取得する第１の情報取得部と、
前記情報を通信制御装置へ通知する第１の通知部と、
前記情報に基づいて選定された推奨動作パラメータを取得する第２の情報取得部と、
前記第２の情報取得部で取得された推奨動作パラメータを用いて、前記無線通信装置の近傍となりうる無線通信装置の情報を含むリストを生成する生成部と、
前記リストおよび推奨動作パラメータを前記無線通信装置へ通知する第２の通知部と、
を備えるネットワーク管理制御装置。
【請求項２】
前記第１の情報取得部は、少なくとも、地理位置及び／又は領域に係る情報、デュプレクスモードに係る情報を取得し、
前記第２の通知部で取得する推奨動作パラメータには、少なくとも、推奨されるデュプレクスモードに係る情報を含み、
前記生成部は、前記推奨されるデュプレクスモードに係る情報を用いて前記無線通信装置の近傍となりうる無線通信装置の情報を含むリストを生成する、
請求項１に記載のネットワーク管理制御装置。
【請求項３】
前記デュプレクスモードに係る情報は、デュプレクスモードを示す識別子を少なくとも含み、さらに、ＴＤＤの場合に、アップリンクとダウンリンクの組み合わせからなるフレーム構成の候補のうち１以上を含む、
請求項１又は請求項２に記載のネットワーク管理制御装置。
【請求項４】
ネットワークを示す情報、無線アクセス技術情報，動作可能周波数帯に係る情報、地理位置及び／又は領域に係る情報、デュプレクスモードに係る情報、又は、伝送時間間隔に係る情報をネットワーク管理制御装置へ通知する第１の通知部と、
前記ネットワーク管理制御装置から推奨動作パラメータ及び近傍となりうる無線通信装置の情報を含むリストを取得する情報取得部と、
前記情報取得部で取得された推奨動作パラメータに基づき、無線パラメータの自己構成を行う自己構成部と、
前記自己構成部で構成された無線パラメータを用いて、前記情報取得部で取得されたリストから近傍となる無線通信装置を抽出する情報処理部と、
前記情報処理部で抽出された近傍となる無線通信装置とのインタフェース構築のためのシグナリングを実施する第２の通知部と、
を備える無線通信装置。
【請求項５】
前記情報取得部で取得する推奨動作パラメータには、少なくとも、推奨されるデュプレクスモードに係る情報を含み、
前記自己構成部は、前記推奨されるデュプレクスモードに係る情報を用いてデュプレクスモードに係るパラメータの自己構成を行う、
請求項４に記載の無線通信装置。
【請求項６】
前記デュプレクスモードに係る情報は、デュプレクスモードを示す識別子を少なくとも含み、さらに、ＴＤＤの場合に、アップリンクとダウンリンクの組み合わせからなるフレーム構成の候補のうち１以上を含むものであって、
前記自己構成部は、ＴＤＤが推奨される場合に、前記フレーム構成の候補のうち１つを選択し、選択されたフレーム構成に基づく動作をするよう自己構成を行う、
請求項５に記載の無線通信装置。
【請求項７】
前記第２の通知部は、少なくとも動作周波数帯に係る情報と、デュプレクスモードに係る情報とを含むシグナリングを実施する、
請求項４に記載の無線通信装置。
【請求項８】
コンピュータを、１以上の無線通信装置が属するネットワークを示す情報、無線アクセス技術情報，動作可能周波数帯に係る情報、地理位置及び／又は領域に係る情報、デュプレクスモードに係る情報、又は、伝送時間間隔に係る情報を取得する第１の情報取得部と、
前記情報を通信制御装置へ通知する第１の通知部と、
前記情報に基づいて選定された推奨動作パラメータを取得する第２の情報取得部と、
前記第２の情報取得部で取得された推奨動作パラメータを用いて、前記無線通信装置の近傍となりうる無線通信装置の情報を含むリストを生成する生成部と、
前記リストおよび推奨動作パラメータを前記無線通信装置へ通知する第２の通知部と、
として動作させるためのプログラム。
【請求項９】
コンピュータを、ネットワークを示す情報、無線アクセス技術情報，動作可能周波数帯に係る情報、地理位置及び／又は領域に係る情報、デュプレクスモードに係る情報、又は、伝送時間間隔に係る情報をネットワーク管理制御装置へ通知する第１の通知部と、
ネットワーク管理制御装置から推奨動作パラメータ及び近傍となりうる無線通信装置の情報を含むリストを取得する情報取得部と、
前記情報取得部で取得された推奨動作パラメータに基づき、無線パラメータの自己構成を行う自己構成部と、
前記自己構成部で構成された無線パラメータを用いて、前記情報取得部で取得されたリストから近傍となる無線通信装置を抽出する情報処理部と、
前記情報処理部で抽出された近傍となる無線通信装置とのインタフェース構築のためのシグナリングを実施する通信部と、
として動作させるためのプログラム。
【請求項１０】
１以上の無線通信装置が属するネットワークを示す情報、無線アクセス技術情報，動作可能周波数帯に係る情報、地理位置及び／又は領域に係る情報、デュプレクスモードに係る情報、又は、伝送時間間隔に係る情報を取得することと、
前記情報を通信制御装置へ通知することと、
前記情報に基づいて選定された推奨動作パラメータを取得することと、
第２の情報取得部で取得された推奨動作パラメータを用いて、前記無線通信装置の近傍となりうる無線通信装置の情報を含むリストを生成することと、
前記リストおよび推奨動作パラメータを前記無線通信装置へ通知することと、
を実施するための方法。
【請求項１１】
ネットワークを示す情報、無線アクセス技術情報，動作可能周波数帯に係る情報、地理位置及び／又は領域に係る情報、デュプレクスモードに係る情報、又は、伝送時間間隔に係る情報をネットワーク管理制御装置へ通知することと、
ネットワーク管理制御装置から推奨動作パラメータ及び近傍となりうる無線通信装置の情報を含むリストを取得することと、
前記推奨動作パラメータに基づき、無線パラメータの自己構成を行うことと、
前記自己構成にて用いられた無線パラメータを用いて、前記リストから近傍となる無線通信装置を抽出することと、
前記抽出された近傍となる無線通信装置とのインタフェース構築のためのシグナリングを実施することと、
を実施するための方法。
【発明の詳細な説明】
【技術分野】
【０００１】
本開示は、通信制御装置、無線通信装置、装置、方法及びプログラムに関する。
【背景技術】
【０００２】
将来の周波数リソースの枯渇を緩和するための対策の１つとして、周波数の二次利用についての議論が進められている。周波数の二次利用とは、あるシステムに優先的に割り当てられている周波数チャネルの一部又は全部を、他のシステムが二次的に利用することをいう。一般的に、周波数チャネルが優先的に割り当てられているシステムは一次システム（Primary  System）、当該周波数チャネルを二次利用するシステムは二次システム（Secondary  System）と呼ばれる。【０００３】
ＴＶホワイトスペースは、二次利用が議論されている周波数チャネルの一例である。ＴＶホワイトスペースは、一次システムとしてのＴＶ放送システムに割り当てられている周波数チャネルのうち、地域に応じて当該ＴＶ放送システムにより利用されていないチャネルを指す。このＴＶホワイトスペースを二次システムに開放することで、周波数リソースの効率的な活用が実現され得る。ＴＶホワイトスペースの二次利用を可能とするための物理層（ＰＨＹ）及びＭＡＣ層の無線アクセス方式の仕様として、例えば、ＩＥＥＥ８０２．２２、ＩＥＥＥ８０２．１１ａｆ、及びＥＣＭＡ（European  Computer  Manufacturer  Association）−３９２（ＣｏｇＮｅａ）などの複数の標準仕様が存在する。【０００４】
米国においては、周波数の２次利用に基づくＣＢＲＳ（Citizens Broadband Radio Service）という新たな周波数利用形態を、新規に採択されたＦＣＣ(Federal Communications Commission)規則第９６部（Part  96）を基に３５５０−３７００ＭＨｚ帯への導入を進める動きが加速している。ＣＢＲＳで運用される無線アクセスシステムとして、現時点ではＬＴＥ（Long  Term  Evolution）や、ＬＴＥをベースとして近年開発が進められているＭｕｌｔｅＦｉｒｅが主流になることが想定されている。【０００５】
このような周波数２次利用に関し、下記特許文献１では、位置情報と周波数情報が対応付けられた位置／周波数リストを保持する保持部と、位置情報に基づき、当該位置情報に対応する周波数情報を前記位置／周波数リストから抽出して使用可能周波数リストを作成するリスト作成部と、前記使用可能周波数リストの利用主体である基地局に前記使用可能周波数リストを送信する送信部と、前記基地局に送信した前記使用可能周波数リストと、前記基地局から返送される使用可能周波数リストとを比較するリスト比較部とを備え、  前記リスト作成部は、前記基地局により前記使用可能周波数リストのうちで利用されている周波数を示す情報に基づき、前記使用可能周波数リストを再作成する、管理サーバが開示されている。
【先行技術文献】
【特許文献】
【０００６】
【特許文献１】特許第５６７９０３３号公報
【発明の概要】
【発明が解決しようとする課題】
【０００７】
しかし、上記特許文献１などで提案されている周波数２次利用のための技術は、ＬＴＥに代表されるセルラーシステムのように広範囲にわたって大規模に展開された無線システムの運用が想定されていない。周波数２次利用においては、動的に無線パラメータの変更が発生しうるが、例えば、セルラーシステムにおいては各通信事業者のネットワーク設計思想等に基づいて設定される無線パラメータを半固定的に使用する。したがって、周波数２次利用においてセルラーシステムを運用することは、例えば、セルのチューニング等に係る運用コストの増加に繋がりかねない。【０００８】
そこで、セルのチューニング等に係る運用コストの低減を目的として、事業者がＳＯＮ（Self-Organized Network）を導入することが考えられる。ＳＯＮは、ｅＮＢ（evolved  NodeB）の無線パラメータを自己構成を実施するだけでなく、近傍のｅＮＢとＸ２インタフェースの自己構築を行う。自己構築のためのシグナリングでは周波数に係る情報を通知する必要がある。周波数２次利用におけるＳＯＮの利用においては、近傍のｅＮＢが動的に変わりうることから、近傍のｅＮＢを事前に知る必要が生じる。その際、シグナリング量は最小限に抑えられることが望ましい。【０００９】
さらに、現行のＳＯＮにおいては、デュプレックスモードに係る情報がＸ２インタフェース構築のシグナリングに含まれない。特にＴＤＤでｅＮＢが運用される場合、隣接ｅＮＢ間でフレーム構成や伝送時間間隔の同期が確保できなければ、同一チャネル干渉のみならず、隣接チャネル干渉も大きな問題となりうる。周波数２次利用シナリオにおいては、同一事業者のみならず、異なる事業者のネットワークとの共存も必要となり、デュプレックスモードの変更も含めた共存制御が実施される場合、事業者の枠を超えた隣接ｅＮＢへのデュプレックスモードに係る情報通知の手段を備えることが望ましい。【００１０】
ＬＴＥのみならず５Ｇやそれ以降のセルラーシステム、または、マネージドＷｉ−Ｆｉのシステムなどにおいて、ＳＯＮに相似する仕組みが採用されると同様の問題が起こりうると考えられる。【００１１】
そこで、本開示では、周波数２次利用におけるＳＯＮの利用を適切に行うことが可能な、新規かつ改良されたネットワーク管理制御装置、無線通信装置、方法及びプログラムを提案する。
【課題を解決するための手段】
【００１２】
本開示によれば、１以上の無線通信装置が属するネットワークを示す情報、無線アクセス技術情報，動作可能周波数帯に係る情報、地理位置及び／又は領域に係る情報、デュプレクスモードに係る情報、又は、伝送時間間隔に係る情報を取得する第１の情報取得部と、前記情報を通信制御装置へ通知する第１の通知部と、前記情報に基づいて選定された推奨動作パラメータを取得する第２の情報取得部と、前記第２の情報取得部で取得された推奨動作パラメータを用いて、前記無線通信装置の近傍となりうる無線通信装置の情報を含むリストを生成する生成部と、前記リストおよび推奨動作パラメータを前記無線通信装置へ通知する第２の通知部と、を備えるネットワーク管理制御装置が提供される。【００１３】
また、本開示によれば、ネットワークを示す情報、無線アクセス技術情報，動作可能周波数帯に係る情報、地理位置及び／又は領域に係る情報、デュプレクスモードに係る情報、又は、伝送時間間隔に係る情報をネットワーク管理制御装置へ通知する第１の通知部と、前記ネットワーク管理制御装置から推奨動作パラメータ及び近傍となりうる無線通信装置の情報を含むリストを取得する情報取得部と，前記情報取得部で取得された推奨動作パラメータに基づき、無線パラメータの自己構成を行う自己構成部と，前記自己構成部で構成された無線パラメータを用いて、前記情報取得部で取得されたリストから近傍となる無線通信装置を抽出する情報処理部と、前記情報処理部で抽出された近傍となる無線通信装置とのインタフェース構築のためのシグナリングを実施する第２の通知部と、を備える無線通信装置が提供される。【００１４】
また、本開示によれば、コンピュータを、１以上の無線通信装置が属するネットワークを示す情報、無線アクセス技術情報，動作可能周波数帯に係る情報、地理位置及び／又は領域に係る情報、デュプレクスモードに係る情報、又は、伝送時間間隔に係る情報を取得する第１の情報取得部と、前記情報を通信制御装置へ通知する第１の通知部と、前記情報に基づいて選定された推奨動作パラメータを取得する第２の情報取得部と、前記第２の情報取得部で取得された推奨動作パラメータを用いて、前記無線通信装置の近傍となりうる無線通信装置の情報を含むリストを生成する生成部と、前記リストおよび推奨動作パラメータを前記無線通信装置へ通知する第２の通知部と、として動作させるためのプログラムが提供される。【００１５】
また、本開示によれば、コンピュータを、ネットワークを示す情報、無線アクセス技術情報，動作可能周波数帯に係る情報、地理位置及び／又は領域に係る情報、デュプレクスモードに係る情報、又は、伝送時間間隔に係る情報をネットワーク管理制御装置へ通知する第１の通知部と、ネットワーク管理制御装置から推奨動作パラメータ及び近傍となりうる無線通信装置の情報を含むリストを取得する情報取得部と，前記情報取得部で取得された推奨動作パラメータに基づき、無線パラメータの自己構成を行う自己構成部と，前記自己構成部で構成された無線パラメータを用いて、前記情報取得部で取得されたリストから近傍となる無線通信装置を抽出する情報処理部と、前記情報処理部で抽出された近傍となる無線通信装置とのインタフェース構築のためのシグナリングを実施する通信部と、として動作させるためのプログラムが提供される。【００１６】
また、本開示によれば、１以上の無線通信装置が属するネットワークを示す情報、無線アクセス技術情報，動作可能周波数帯に係る情報、地理位置及び／又は領域に係る情報、デュプレクスモードに係る情報、又は、伝送時間間隔に係る情報を取得することと、
前記情報を通信制御装置へ通知することと、前記情報に基づいて選定された推奨動作パラメータを取得することと、前記第２の情報取得部で取得された推奨動作パラメータを用いて、前記無線通信装置の近傍となりうる無線通信装置の情報を含むリストを生成することと、前記リストおよび推奨動作パラメータを前記無線通信装置へ通知することと、を実施するための方法が提供される。【００１７】
また、本開示によれば、ネットワークを示す情報、無線アクセス技術情報，動作可能周波数帯に係る情報、地理位置及び／又は領域に係る情報、デュプレクスモードに係る情報、又は、伝送時間間隔に係る情報をネットワーク管理制御装置へ通知することと、ネットワーク管理制御装置から推奨動作パラメータ及び近傍となりうる無線通信装置の情報を含むリストを取得することと，前記推奨動作パラメータに基づき、無線パラメータの自己構成を行うことと，前記自己構成にて用いられた無線パラメータを用いて、前記リストから近傍となる無線通信装置を抽出することと、前記抽出された近傍となる無線通信装置とのインタフェース構築のためのシグナリングを実施することと、を実施するための方法が提供される。
【発明の効果】
【００１８】
以上説明したように本開示によれば、周波数２次利用におけるＳＯＮの利用を適切に行うことが可能となる。なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１９】
【図１】本開示の一実施形態に係る通信システムの概要を説明するための説明図である。
【図２】本実施形態に係るアーキテクチャを説明するための図である。
【図３】本実施形態に係る通信制御装置の構成の一例を示すブロック図である。
【図４】本実施形態に係るネットワーク管理制御装置２０の構成の一例を示すブロック図である。
【図５】本実施形態に係る無線通信装置３０の構成の一例を示すブロック図である。
【図６】本実施形態に係る無線通信装置からネットワーク管理制御装置へ通信制御に必要な情報を通知するためのプロシージャの一例を説明するための図である。
【図７】本実施形態に係るネットワーク管理制御装置が無線通信装置に対して運用に係る情報を通知するためのプロシージャの一例を説明するための図である。
【図８】本実施形態に係る無線通信装置が無線通信装置とインタフェースを構築するためのプロシージャの一例を説明するための図である。
【発明を実施するための形態】
【００２０】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００２１】
また、本明細書及び図面において、実質的に同一の機能構成を有する要素を、同一の符号の後に異なるアルファベットを付して区別する場合もある。例えば、実質的に同一の機能構成を有する複数の要素を、必要に応じて無線通信装置３０Ａ及び３０Ｂのように区別する。ただし、実質的に同一の機能構成を有する複数の要素の各々を特に区別する必要がない場合、同一符号のみを付する。例えば、無線通信装置３０Ａ及び３０Ｂを特に区別する必要が無い場合には、単に無線通信装置３０と称する。
【００２２】
なお、説明は以下の順序で行うものとする。
１．概要
１．１．システムの全体的な構成
１．２．技術的課題
２．発明の詳細な説明
２．１．アーキテクチャ
２．２．ネットワーク管理制御装置の構成例
２．３．ネットワーク管理制御装置の技術的特徴
２．４．無線通信装置の構成例
２．５．無線通信装置の技術的特徴
２．５．プロシージャ
３．まとめ
【００２３】
＜＜１．概要＞＞
＜１．１．システムの全体的な構成＞
図１は、本開示の一実施形態に係る通信システムの概要を説明するための説明図である。
【００２４】
図１を参照すると、第１の通信事業者Ａによって運用される複数の無線通信装置３０Ａ、及び第２の通信事業者Ｂによって運用される複数の無線通信装置３０Ｂが示されている。図１に示すように、無線通信装置３０は、典型的には基地局又はアクセスポイント等の送信局である。送信局である無線通信装置３０Ａは、サービスエリアの内部に位置する受信局に通信事業者Ａのサービスを提供する。送信局である無線通信装置３０Ｂも同様に、サービスエリアの内部に位置する受信局に通信事業者Ｂのサービスを提供する。
【００２５】
無線通信装置３０Ａ及び３０Ｂは、ネットワーク管理装置２０Ａ及び２０Ｂにそれぞれ接続される。ネットワーク管理装置２０は、通信事業者が複数の無線通信装置３０の管理や、制御のために導入する装置である。
【００２６】
なお、ＬＴＥにおいては、例えば、ＥＭＳ（Element  Management  System）やＤＭ（Domain  Manager）と呼ばれるものであってよい。または、図２に示すＷＩｎｎＦ(Wireless  Innovation  Forum)で標準化されたアーキテクチャに含まれるＤＰ（Domain  Proxy）と呼ばれるエンティティであってもよい。または、ＥＭＳやＤＭ、ＤＰを一体的に提供する管理装置や、これらの集まりをネットワーク管理装置として扱ってもよい。
【００２７】
ネットワーク管理装置２０Ａ及び２０Ｂは、通信制御装置１０に接続される。通信制御装置１０は、一次システムに割り当てられた周波数チャネルの２次利用認可を、致命的な干渉を前記一次システムに与えない範囲で、無線通信装置３０に対して与える。具体的には、利用可能な周波数のリスト及び／又は送信電力を無線通信装置の各々へ通知する機能、または無線通信装置３０が利用を希望する周波数及び／又は送信電力の利用可否判定およびその判定結果を無線通信装置の各々へ通知する機能を有し、典型的には一次システムの保護（Protection）を行う。ネットワーク管理装置２０は、配下の複数の無線通信装置３０と通信制御装置１０との通信を仲介すること及び／または通信制御装置１０から知得した情報に基づき無線通信装置３０の無線パラメータの再構成補助等を実施する。
【００２８】
なお、一次システムとしては、例えばＴＶ放送システム、ＰＭＳＥ(Program  Making  and  Special  Events)、レーダ（軍用、艦載、気象等）、固定衛星業務（ＦＳＳ：Fixed  Satellite  Service）、移動衛星業務（ＭＳＳ：Mobile  Satellite  Service）及び地球探査衛星業務（ＥＥＳＳ：Earth  Exploration  Satellite  Service）等が挙げられる。
【００２９】
また、通信制御装置１０は、複数の無線通信装置３０の各々が、他の無線通信装置３０に対して致命的な干渉を与えずに運用可能とするような制御判断をも実施する。典型的には共存制御（Coexistence management）を行う。
【００３０】
ここで、複数の通信事業者のサービスエリアが、地理的に重複すると共に、利用周波数帯域が重複する場合がある。具体的な例としては、例えば、異なる通信事業者により運用されるＬＴＥ（Long  Term  Evolution）サービスの提供領域とＷｉ−Ｆｉサービスの提供領域とが重複する場合が考えられる。または、例えば、同一通信事業者内であっても、ＬＴＥ（Long  Term  Evolution）サービスの提供領域と５Ｇ及び／またはその先のサービスの提供領域とが重複する場合が考えられる。または、例えば、通信事業者により運用される無線通信サービス（LTE、5G等）の提供領域と、個人運用の無線通信装置の運用される領域とが重複する場合が考えられる。
【００３１】
本実施形態では、このような状況下において、一次システムに割り当てられている周波数帯域の一部又は全部を、１以上の無線通信装置が協調して二次利用することを想定する。そのためには、セルラーシステムによる周波数２次利用シナリオにおいて、異なる通信事業者間、異なる無線通信装置間で共存のために適切な情報が交換されることが望ましい。
【００３２】
＜１．２．技術的課題＞
セルラーシステムによる周波数２次利用の実施において、以下の懸念がある
【００３３】
（１）無線通信装置間の同期
無線通信装置をＴＤＤで運用することが想定される。ＬＴＥの場合、アップリンク及びダウンリンクの組み合わせの異なる無線フレーム構成が規定されており、干渉低減のために、無線通信装置間で同一の組み合わせを設定することが必要になる。また、時間同期を取る必要もある。
【００３４】
（２）ＳＯＮによるＸ２インタフェース構築に係るシグナリング
セルラーシステムによる周波数２次利用時の多数の無線通信装置の運用パラメータの変更に伴う運用コスト低減のためにＳＯＮを導入することが考えられる。ＳＯＮにおいては、無線通信装置間の干渉制御等に利用されるインタフェース（e.g. ＬＴＥ  Ｘ２インタフェース）構築のために無線通信装置間でシグナリングが実施される。シグナリング実施のためには、どの無線通信装置が近傍に存在するのか知る必要があるが、周波数２次利用シナリオにおいては、運用周波数の変更に伴い、近傍として考慮すべき無線通信装置が動的に変化しうる。
【００３５】
また、ＴＤＤ運用時には無線フレーム構成も揃えることで適切に干渉制御が実施できると考えられるが、Ｘ２インタフェース構築のシグナリングにはこの情報は含まれていない。無線フレーム構成まで考慮した共存制御が実施される場合には、無線フレーム構成まで動的に変化しうるため、適切に情報交換されることが望ましい。
【００３６】
そこで、上記事情を一着眼点にして本開示の実施形態による発明を提供するに至った。これまでの周波数２次利用においては、ＳＯＮの利用と無線通信装置のデュプレクスモードに着目した共存の仕組みは提供されてこなかった。そこで、本実施形態では、近傍となる無線通信装置に係る情報およびデュプレクスモードに係る情報を活用する仕組みを提供する。これにより、ＳＯＮを利用するセルラーシステムの周波数２次利用を適切に行うことが可能となる。
【００３７】
＜＜２．第１の実施形態＞＞
＜２．１．アーキテクチャ＞
図３は、本実施形態に係るアーキテクチャを説明するための図である。
【００３８】
＜２．２．ネットワーク管理制御装置の構成例＞
以下では、図４を参照して、ネットワーク管理制御装置の構成例を説明する。
【００３９】
図４は、本実施形態に係るネットワーク管理制御装置２０の構成の一例を示すブロック図である。図４に示すように、ネットワーク管理制御装置２０は、第１の通信部２１０、第２の通信部２２０及び処理部２３０を具備する。さらに、処理部２３０は、第１の情報取得部２３１、第１の通知部２３２、第２の情報取得部２３３、生成部２３４、第２の通知部２３５を具備する。
【００４０】
第１の通信部２１０は、通信制御装置１０との間の通信を仲介する通信インタフェースである。第１の通信部２１０は、任意の無線通信プロトコル又は有線通信プロトコルをサポートし、通信制御装置１０との間の通信接続を確立する。
【００４１】
第２の通信部２２０は、無線通信装置３０との間の通信を仲介する通信インタフェースである。第２の通信部２２０は、任意の無線通信プロトコル又は有線通信プロトコルをサポートし、無線通信装置３０との間の通信接続を確立する。
【００４２】
処理部２３０は、ネットワーク管理制御装置２０の様々な機能を提供する。処理部２３０は第１の情報取得部２３１、第１の通知部２３２、第２の情報取得部２３３、生成部２３４、第２の通知部２３５を含む。なお、処理部２３０は、これらの構成要素以外の他の構成要素をさらに含み得る。即ち、処理部２３０は、これらの構成要素の動作以外の動作も行い得る。処理部２３０の機能の詳細については、後に詳しく説明する。
【００４３】
＜２．３．ネットワーク管理制御装置の技術的特徴＞
（１）
第１の情報取得機能
第１の情報取得部２３１は、１以上の無線通信装置３０に係る情報を取得する。少なくとも、無線通信装置が属するネットワークを示す情報、無線アクセス技術情報，動作可能周波数帯に係る情報、地理位置及び／又は領域に係る情報、デュプレクスモードに係る情報、又は、伝送時間間隔に係る情報とを取得する。
【００４４】
なお、前記情報の一部又は全部は、無線通信装置３０から直接取得されてよい。または、外部ネットワークまたはイントラネットワークに属する情報管理装置で前記情報の一部又は全部が管理される場合、前記情報管理装置から取得されてもよい。
【００４５】
無線通信装置が属するネットワークを示す情報とは、典型的には、通信事業者を示す識別子である。ＭＮＣ（Mobile  Network  Code）やＰＬＭＮ（Public  Land  Mobile  Network）ＩＤ等が想定されうる。通信事業者がさらに無線通信装置のグルーピングを実施している場合、無線通信装置が属するグループを示す識別子が含まれてもよい。さらに、１通信事業者が１以上のネットワーク管理装置２０を設けている場合、ネットワーク管理装置を識別する識別子が含まれてもよい。無線通信装置がＷｉ−Ｆｉのような自律分散的なネットワークを提供するＲＡＴである場合、ＳＳＩＤのようにローカルのネットワークを示す識別子であってもよい。
【００４６】
無線アクセス技術情報とは、典型的には、無線通信装置が具備するＲＡＴを示す識別子である。運用中のＲＡＴの識別子だけでなく、無線通信装置が変更可能なＲＡＴの識別子も含まれてよい。さらに、ＬＴＥで規定されているＴｒａｎｓｍｉｓｓｉｏｎ  Ｍｏｄｅのように、共存制御の判断に寄与しうるＲＡＴ独自の運用パラメータが含まれてもよい。
【００４７】
動作可能周波数帯に係る情報とは、典型的には、無線通信装置のハードウェア構成で動作可能とされる周波数帯域のことである。例えば、始端および終端の周波数が提供されてよい。または、例えば、３ＧＰＰ（3rd  Generation  Partnership  Project）で規定される帯域の番号であってもよい。または、例えば、ＴＶ周波数帯のように、チャネル番号が振られている場合、チャネル番号が提供されてもよい。または、例えば、中心周波数と帯域幅の組み合わせによって動作可能周波数帯が提供されてもよい。いずれの情報を提供する場合であっても、複数の周波数帯域で動作可能である場合には、動作可能周波数帯に係る情報が複数提供されてもよい。
【００４８】
位置に係る情報とは、典型的には、無線通信装置の地理位置及び／又は領域を特定可能な情報である。例えば、ＧＮＳＳ（Global Navigation Satellite System）に代表される位置測位機能を具備する無線通信装置によって取得される座標情報であってよい。典型的には、緯度、経度、高度、測位誤差に係る情報が含まれうる。または、例えば、ＮＲＡ（National Regulatory Authority）またはその委託機関によって管理される情報管理装置に登録される位置情報であってよい。また、例えば、地理領域を示す情報として、行政上規定される情報として、国勢統計区（Ｃｅｎｓｕｓ  Ｔｒａｃｔ）や地域名、都道府県名、州名、区市町村名、番地、住所といった情報が含まれうる。または、例えば、３以上の座標情報の組み合わせによって地理領域が表現されてもよい。または、例えば、座標情報と半径情報の組み合わせによって地理領域が表現されてもよい。
【００４９】
デュプレクスモードに係る情報とは、無線通信装置において運用中のデュプレクスモードを示す識別子が少なくとも含まれる。周波数分割複信（ＦＤＤ：Frequency  Division  Duplex）、時分割複信（ＴＤＤ：Time  Division  Duplex）、補助ダウンリンク（ＳＤＬ：Supplemental Downlink）、全二重複信（Ｆｕｌｌ  Ｄｕｐｌｅｘ）などを示す識別子が含まれうる。前記識別子がＴＤＤを示す場合、さらに、下記表１に示すＴＤＤフレーム構成（Configuration）のうち、運用中の構成を示す識別子が含まれる。
【００５０】
【表１】
2018020818.tif 000003
【００５１】
上記表１は３ＧＰＰ  ＴＳ  ３６．３００において記載がされている。
【００５２】
伝送時間に係る情報とは、典型的には、ＴＴＩ（Transmission  Time  Interval）である。さらに、ＴＴＩが可変であるならば、無線通信装置が変更可能なＴＴＩ値が含まれてもよい。
【００５３】
（２）第１の通知機能
第１の通知部２３２は、典型的には、第１の情報取得部で取得される情報に基づくメッセージを生成し、第１の通信部へ送る機能を有する。具体的には、１以上の無線通信装置に関して、無線通信装置が属するネットワークを示す情報、無線アクセス技術情報，動作可能周波数帯に係る情報、地理位置及び／又は領域に係る情報、デュプレクスモードに係る情報、又は、伝送時間間隔に係る情報が含まれうる。
【００５４】
（３）第２の情報取得機能
第２の情報取得部２３３は、１以上の無線通信装置３０の運用に係る情報を取得する。典型的には、推奨動作パラメータを取得する。例えば、推奨無線アクセス技術に係る情報，推奨周波数帯に係る情報、推奨デュプレクスモードに係る情報、又は、推奨伝送時間間隔のうち１以上の情報が含まれうる。
【００５５】
推奨無線アクセス技術情報とは、典型的には、運用が推奨されるＲＡＴを示す識別子及び／またはＲＡＴ独自の運用パラメータである。ＲＡＴ独自の運用パラメータとは、例えば、ＬＴＥで規定されているＴｒａｎｓｍｉｓｓｉｏｎ  Ｍｏｄｅである。
【００５６】
推奨周波数帯に係る情報とは、例えば、運用が推奨される周波数帯域の始端および終端が提供される。または、例えば、３ＧＰＰ（3rd  Generation  Partnership  Project）で規定される帯域の番号であってもよい。または、例えば、ＴＶ周波数帯のように、チャネル番号が振られている場合、チャネル番号が提供されてもよい。または、例えば、中心周波数と帯域幅の組み合わせによって推奨周波数帯が提供されてもよい。いずれの情報を提供する場合であっても、複数の周波数帯域での動作が推奨される場合には、推奨周波数帯に係る情報が複数提供されてもよい。
【００５７】
推奨デュプレクスモードに係る情報とは、運用が推奨されるデュプレクスモードを示す識別子が少なくとも含まれる。周波数分割複信（ＦＤＤ：Frequency  Division  Duplex）、時分割複信（ＴＤＤ：Time  Division  Duplex）、補助ダウンリンク（ＳＤＬ：Supplemental Downlink）、全二重複信（Ｆｕｌｌ  Ｄｕｐｌｅｘ）などを示す識別子が含まれうる。前記識別子がＴＤＤを示す場合、さらに、前記表１に示すＴＤＤフレーム構成（Configuration）のうち、運用中の構成を示す識別子が含まれる。
【００５８】
推奨伝送時間間隔とは、典型的には、ＴＴＩ（Transmission  Time  Interval）である。
【００５９】
（４）生成機能
生成部２３４は、１以上の無線通信装置３０の運用に係る情報を生成する機能を有する。典型的には、第２の情報取得部２３３で取得する推奨動作パラメータを用いて、前記無線通信装置３０の近傍となりうる無線通信装置の情報を含むリストを生成する。
【００６０】
例えば、無線通信装置３０Ａに推奨される動作周波数帯の候補のうち、一部又は全部が無線通信装置３０Ｂの推奨動作周波数帯に含まれる場合、無線通信装置３０Ｂをリストに含めてよい。
【００６１】
または、例えば、無線通信装置３０Ａに推奨される無線アクセス技術と同一の無線アクセス技術を推奨される無線通信装置３０Ｂをリストに含めてよい。
【００６２】
または、例えば、生成部２３４は、第２の情報取得部１３３で取得する推奨動作パラメータの各々が複数の候補を持つ場合に、１つ以上を選定してもよい。この場合、推奨無線アクセス技術に係る情報，推奨周波数帯に係る情報、推奨デュプレクスモードに係る情報、又は、推奨伝送時間間隔のうち１以上の情報が含まれうる。
【００６３】
例えば、推奨動作パラメータの候補が複数存在する場合に、任意の複数の無線通信装置が近傍となる可能性をもつよう、無線通信装置間で同一のパラメータを選定してもよい。
【００６４】
例えば、ＴＴＩおよびＴＤＤフレーム構成を複数の無線通信装置間で揃えるようパラメータを選定してもよい。これにより、同期が確保できるようになることで、同一チャネル干渉や隣接チャネル干渉が低減できるようになる。
【００６５】
（５）第２の通知機能
第２の通知部は、典型的には、前記生成部２３４で生成される１以上の無線通信装置３０の運用に係る情報を用いてメッセージを生成し、第２の通信部へ送る機能を有する。
【００６６】
＜２．４．無線通信装置の構成例＞
以下では、図５を参照して、無線通信装置の構成例を説明する。
【００６７】
図５は、本実施形態に係る無線通信装置３０の構成の一例を示すブロック図である。図３に示すように、無線通信装置３０は、第１の通信部３１０、第２の通信部３２０、処理部３３０を具備する。
【００６８】
第１の通信部３１０は、ネットワーク管理装置２０との間の通信を仲介する通信インタフェースである。通信部３１０は、任意の無線通信プロトコル又は有線通信プロトコルをサポートし、ネットワーク管理装置２０との間の通信接続を確立する。
【００６９】
第２の通信部３２０は、他の無線通信装置３０との間の通信を仲介する通信インタフェースである。通信部３２０は、任意の無線通信プロトコル又は有線通信プロトコルをサポートし、他の無線通信装置３０を確立する。
【００７０】
処理部３３０は、無線通信装置３０の様々な機能を提供する。処理部３３０は第１の通知部３３１、情報取得部３３２、自己構成部３３３、情報処理部３３４、第２の通知部３３５を含む。なお、処理部３３０は、これらの構成要素以外の他の構成要素をさらに含み得る。即ち、処理部３３０は、これらの構成要素の動作以外の動作も行い得る。処理部３３０の機能の詳細については、後に詳しく説明する。
【００７１】
＜２．５．無線通信装置の技術的特徴＞
（１）第１の通知機能
第１の通知部３３１は、通信制御に必要となる情報を含むメッセージをネットワーク管理制御装置２０へ送達する機能を有する。前記通信制御に必要となる情報は、少なくとも、属するネットワークを示す情報と、運用中の無線アクセス技術情報と、動作可能周波数帯に係る情報と、デュプレクスモードに係る情報と、伝送時間間隔に係る情報とを含む。
【００７２】
また、位置測位機能によって取得可能な位置に係る情報を、ネットワーク管理制御装置２０へ通知する必要がある場合においては、前記メッセージに位置に係る情報を含む。
【００７３】
（２）情報取得機能
情報取得部３３２は、典型的には、ネットワーク管理制御装置２０から運用に係る情報を取得する機能を有する。具体的には、例えば、前記第１の通知部３３１を介して通知された情報を基に選定された推奨動作パラメータを取得する。推奨無線アクセス技術情報と、推奨周波数帯に係る情報と、推奨デュプレクスモードに係る情報と、推奨伝送時間間隔に係る情報とのいずれか１以上の情報が含まれうる。
【００７４】
さらに、例えば、近傍となりうる無線通信装置の情報を含むリストを取得する。リストには、１以上の他の無線通信装置に関して、ＩＰアドレスなどの接続情報、推奨動作パラメータ、及び／又は現在の動作パラメータが含まれうる。
【００７５】
（３）自己構成機能
自己構成部３３３は、無線通信に係る運用パラメータを設定する機能を有する。
前記情報取得部３３２で取得される推奨動作パラメータを基に実施される。無線アクセス技術の設定と、周波数帯の設定と、デュプレクスモードの設定と、伝送時間間隔の設定とのいずれか１以上が実施される。
【００７６】
（４）情報処理機能
情報処理部３３４は、典型的には、自己構成部３３３において設定された運用パラメータと、情報取得部３３２で取得される近傍となりうる無線通信装置の情報を含むリストを基に、近傍無線通信装置の抽出を行う。少なくとも、同一の無線アクセス技術と、同一の運用周波数帯を利用する無線通信装置３０を近傍として抽出する。
【００７７】
（５）第２の通知機能
第２の通知部３３５は、情報処理部３３４で抽出された近傍無線通信装置に対するインタフェース構築のためのメッセージを生成し、第２の通信部へ送る機能を有する。メッセージには、自身の無線アクセス技術情報、運用周波数帯、デュプレクスモードに係る情報、伝送時間間隔を少なくとも含める。
【００７８】
無線アクセス技術情報とは、典型的には、ＲＡＴを示す識別子及び／またはＲＡＴ独自の運用パラメータである。ＲＡＴ独自の運用パラメータとは、例えば、ＬＴＥで規定されているＴｒａｎｓｍｉｓｓｉｏｎ  Ｍｏｄｅである。
【００７９】
運用周波数帯に係る情報とは、例えば、運用中の周波数帯域の始端および終端が提供される。または、例えば、３ＧＰＰ（3rd  Generation  Partnership  Project）で規定される帯域の番号であってもよい。または、例えば、ＴＶ周波数帯のように、チャネル番号が振られている場合、チャネル番号が提供されてもよい。または、例えば、中心周波数と帯域幅の組み合わせによって周波数帯が提供されてもよい。いずれの情報を提供する場合であっても、複数の周波数帯域での動作を行っている場合には、周波数帯に係る情報が複数提供されてもよい。
【００８０】
デュプレクスモードに係る情報とは、運用中のデュプレクスモードを示す識別子が少なくとも含まれる。周波数分割複信（ＦＤＤ：Frequency  Division  Duplex）、時分割複信（ＴＤＤ：Time  Division  Duplex）、補助ダウンリンク（ＳＤＬ：Supplemental Downlink）、全二重複信（Ｆｕｌｌ  Ｄｕｐｌｅｘ）などを示す識別子が含まれうる。前記識別子がＴＤＤを示す場合、さらに、前記表１に示すＴＤＤフレーム構成（Configuration）のうち、運用中の構成を示す識別子が含まれる。
【００８１】
伝送時間間隔とは、典型的には、ＴＴＩ（Transmission  Time  Interval）の値が提供される。
【００８２】
＜２．６．プロシージャ＞
以下では、図６、図７、図８を参照して、ネットワーク管理制御装置２０および無線通信装置３０の導入に伴い実施されるプロシージャ例を説明する。
【００８３】
図６に記載のプロシージャは、無線通信装置３０からネットワーク管理制御装置２０へ通信制御に必要な情報を通知するためのプロシージャである。情報通知（Ｓ１１０）と、情報通知確認（Ｓ１２０）とを実施する。
【００８４】
情報通知（Ｓ１１０）には、少なくとも、属するネットワークを示す情報と、運用中の無線アクセス技術情報と、動作可能周波数帯に係る情報と、デュプレクスモードに係る情報と、伝送時間間隔に係る情報とを含む。また、位置情報が、ＮＲＡまたはその委託機関によって管理されず、自身が具備する位置測位機能によって取得して通信制御装置１０へ通知する必要がある場合においては、前記メッセージに位置情報を含む。
【００８５】
情報通知確認（Ｓ１３０）には、少なくとも、メッセージ受領ステータスを示す情報が含まれうる。例えば、ステータスコードは少なくとも含まれる。ステータスコードがＳＵＣＣＥＳＳ以外を示す場合には、エラー内容を示すメッセージが含まれてもよい。
【００８６】
図７に記載のプロシージャは、ネットワーク管理制御装置２０が無線通信装置３０に対して運用に係る情報を通知するためのプロシージャである。推奨動作パラメータ取得（Ｓ２１０）と、メッセージ生成（Ｓ２２０）と、運用に係る情報通知（Ｓ１３０）と、運用に係る情報通知確認（Ｓ１４０）とを実施する。
【００８７】
推奨動作パラメータ取得（Ｓ２１０）では、ネットワーク管理制御装置２０により推奨動作パラメータの取得が実施される。典型的には、通信制御装置１０から取得する。または、通信制御装置１０から取得した推奨動作パラメータを用いて、ネットワーク管理制御装置２０によるさらなる選定が実施されてよい。または、図６に記載のプロシージャの完了をトリガーとして、図６に記載のプロシージャで取得される情報を用いて、ネットワーク管理制御装置２０の主導で推奨動作パラメータの選定が実施されてよい。
【００８８】
メッセージ生成（Ｓ２２０）では、典型的には、推奨動作パラメータ取得（Ｓ２１０）で取得される情報を含むメッセージの生成を行う。
【００８９】
運用に係る情報通知（１３０）には、少なくとも、メッセージ生成（Ｓ２２０）で生成されるメッセージが含まれる。
【００９０】
運用に係る情報通知確認（Ｓ１４０）には、少なくとも、メッセージ受領ステータスを示す情報が含まれうる。例えば、ステータスコードは少なくとも含まれる。ステータスコードがＳＵＣＣＥＳＳ以外を示す場合には、エラー内容を示すメッセージが含まれてもよい。
【００９１】
図８に記載のプロシージャは、無線通信装置３０Ａが無線通信装置３０Ｂとインタフェースを構築するためのプロシージャである。インタフェースセットアップリクエスト（Ｓ１５０）と、インタフェースセットアップレスポンス（Ｓ１６０）とが含まれる。
【００９２】
インタフェースセットアップリクエスト（Ｓ１５０）には、少なくとも、動作周波数帯に係る情報と、デュプレクスモードに係る情報と、伝送時間間隔に係る情報とが含まれる。例えば、無線通信装置３０がＬＴＥのｅＮＢである場合、ＳＯＮの規格で定められているＸ２インタフェースセットアップリクエストとデュプレクスモードに係る情報と、伝送時間間隔に係る情報とが含まれてよい。
【００９３】
インタフェースセットアップレスポンス（Ｓ１６０）には、少なくとも、メッセージ受領ステータスを示す情報が含まれうる。例えば、ステータスコードは少なくとも含まれる。ステータスコードがＳＵＣＣＥＳＳ以外を示す場合には、エラー内容を示すメッセージが含まれてもよい。
【００９４】
＜＜４．まとめ＞＞
以上、図１〜図８を参照して、本開示の一実施形態について詳細に説明した。上記説明したように、本実施形態に係るネットワーク管理制御装置は、自身が管理する無線通信装置が属するネットワークを示す情報、無線アクセス技術情報，動作可能周波数帯に係る情報、位置情報、デュプレクスモードに係る情報、伝送時間間隔に係る情報を取得することができる。これにより、無線通信装置の各々の近傍無線通信装置のリストを生成することができるようになり、動作パラメータ変更時でも無線通信装置間でインタフェースを構築できるようになる。また、異なる無線通信装置間でデュプレクスモードに係る情報と伝送時間間隔に係る情報とを交換できるようになり、同期が確保され、同一チャネル干渉及び隣接チャネル干渉の低減が可能となる。
【００９５】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【００９６】
また、本明細書の装置（例えば、基地局、基地局装置若しくは基地局装置のためのモジュール、又は、端末装置若しくは端末装置のためのモジュール）に備えられるプロセッサ（例えば、ＣＰＵ、ＤＳＰなど）を上記装置の構成要素（例えば、処理部１３０など）として機能させるためのコンピュータプログラム（換言すると、上記プロセッサに上記装置の構成要素の動作を実行させるためのコンピュータプログラム）も作成可能である。また、当該コンピュータプログラムを記録した記録媒体も提供されてもよい。また、上記コンピュータプログラムを記憶するメモリと、上記コンピュータプログラムを実行可能な１つ以上のプロセッサとを備える装置（例えば、基地局、基地局装置若しくは基地局装置のためのモジュール、又は、端末装置若しくは端末装置のためのモジュール）も提供されてもよい。また、上記装置の構成要素（例えば、処理部１３０など）の動作を含む方法も、本開示に係る技術に含まれる。
【００９７】
また、本明細書においてフローチャート及びシーケンス図を用いて説明した処理は、必ずしも図示された順序で実行されなくてもよい。いくつかの処理ステップは、並列的に実行されてもよい。また、追加的な処理ステップが採用されてもよく、一部の処理ステップが省略されてもよい。
【００９８】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【００９９】
なお、以下のような構成も本開示の技術的範囲に属する。
（１）
１以上の無線通信装置が属するネットワークを示す情報、無線アクセス技術情報，動作可能周波数帯に係る情報、地理位置及び／又は領域に係る情報、デュプレクスモードに係る情報、又は、伝送時間間隔に係る情報を取得する第１の情報取得部と、
前記情報を通信制御装置へ通知する第１の通知部と、
前記情報に基づいて選定された推奨動作パラメータを取得する第２の情報取得部と、
前記第２の情報取得部で取得された推奨動作パラメータを用いて、前記無線通信装置の近傍となりうる無線通信装置の情報を含むリストを生成する生成部と、
前記リストおよび推奨動作パラメータを前記無線通信装置へ通知する第２の通知部と、
を備えるネットワーク管理制御装置。
（２）
前記第１の情報取得部は、少なくとも、地理位置及び／又は領域に係る情報、デュプレクスモードに係る情報を取得し、
前記第２の通知部で取得する推奨動作パラメータには、少なくとも、推奨されるデュプレクスモードに係る情報を含み、
前記生成部は、前記推奨されるデュプレクスモードに係る情報を用いて前記無線通信装置の近傍となりうる無線通信装置の情報を含むリストを生成する、
前記（１）に記載のネットワーク管理制御装置。
（３）
前記デュプレクスモードに係る情報は、デュプレクスモードを示す識別子を少なくとも含み、さらに、ＴＤＤの場合に、アップリンクとダウンリンクの組み合わせからなるフレーム構成の候補のうち１以上を含む、
前記（１）又は（２）に記載のネットワーク管理制御装置。
（４）
ネットワークを示す情報、無線アクセス技術情報，動作可能周波数帯に係る情報、地理位置及び／又は領域に係る情報、デュプレクスモードに係る情報、又は、伝送時間間隔に係る情報をネットワーク管理制御装置へ通知する第１の通知部と、
前記ネットワーク管理制御装置から推奨動作パラメータ及び近傍となりうる無線通信装置の情報を含むリストを取得する情報取得部と、
前記情報取得部で取得された推奨動作パラメータに基づき、無線パラメータの自己構成を行う自己構成部と、
前記自己構成部で構成された無線パラメータを用いて、前記情報取得部で取得されたリストから近傍となる無線通信装置を抽出する情報処理部と、
前記情報処理部で抽出された近傍となる無線通信装置とのインタフェース構築のためのシグナリングを実施する第２の通知部と、
を備える無線通信装置。
（５）
前記情報取得部で取得する推奨動作パラメータには、少なくとも、推奨されるデュプレクスモードに係る情報を含み、
前記自己構成部は、前記推奨されるデュプレクスモードに係る情報を用いてデュプレクスモードに係るパラメータの自己構成を行う、
前記（４）に記載の無線通信装置。
（６）
前記デュプレクスモードに係る情報は、デュプレクスモードを示す識別子を少なくとも含み、さらに、ＴＤＤの場合に、アップリンクとダウンリンクの組み合わせからなるフレーム構成の候補のうち１以上を含むものであって、
前記自己構成部は、ＴＤＤが推奨される場合に、前記フレーム構成の候補のうち１つを選択し、選択されたフレーム構成に基づく動作をするよう自己構成を行う、
前記（５）に記載の無線通信装置。
（７）
前記第２の通知部は、少なくとも動作周波数帯に係る情報と、デュプレクスモードに係る情報とを含むシグナリングを実施する、
前記（４）に記載の無線通信装置。
（８）
コンピュータを、１以上の無線通信装置が属するネットワークを示す情報、無線アクセス技術情報，動作可能周波数帯に係る情報、地理位置及び／又は領域に係る情報、デュプレクスモードに係る情報、又は、伝送時間間隔に係る情報を取得する第１の情報取得部と、
前記情報を通信制御装置へ通知する第１の通知部と、
前記情報に基づいて選定された推奨動作パラメータを取得する第２の情報取得部と、
前記第２の情報取得部で取得された推奨動作パラメータを用いて、前記無線通信装置の近傍となりうる無線通信装置の情報を含むリストを生成する生成部と、
前記リストおよび推奨動作パラメータを前記無線通信装置へ通知する第２の通知部と、
として動作させるためのプログラム。
（９）
コンピュータを、ネットワークを示す情報、無線アクセス技術情報，動作可能周波数帯に係る情報、地理位置及び／又は領域に係る情報、デュプレクスモードに係る情報、又は、伝送時間間隔に係る情報をネットワーク管理制御装置へ通知する第１の通知部と、
ネットワーク管理制御装置から推奨動作パラメータ及び近傍となりうる無線通信装置の情報を含むリストを取得する情報取得部と、
前記情報取得部で取得された推奨動作パラメータに基づき、無線パラメータの自己構成を行う自己構成部と、
前記自己構成部で構成された無線パラメータを用いて、前記情報取得部で取得されたリストから近傍となる無線通信装置を抽出する情報処理部と、
前記情報処理部で抽出された近傍となる無線通信装置とのインタフェース構築のためのシグナリングを実施する通信部と、
として動作させるためのプログラム。
（１０）
１以上の無線通信装置が属するネットワークを示す情報、無線アクセス技術情報，動作可能周波数帯に係る情報、地理位置及び／又は領域に係る情報、デュプレクスモードに係る情報、又は、伝送時間間隔に係る情報を取得することと、
前記情報を通信制御装置へ通知することと、
前記情報に基づいて選定された推奨動作パラメータを取得することと、
前記第２の情報取得部で取得された推奨動作パラメータを用いて、前記無線通信装置の近傍となりうる無線通信装置の情報を含むリストを生成することと、
前記リストおよび推奨動作パラメータを前記無線通信装置へ通知することと、
を実施するための方法。
（１１）
ネットワークを示す情報、無線アクセス技術情報，動作可能周波数帯に係る情報、地理位置及び／又は領域に係る情報、デュプレクスモードに係る情報、又は、伝送時間間隔に係る情報をネットワーク管理制御装置へ通知することと、
ネットワーク管理制御装置から推奨動作パラメータ及び近傍となりうる無線通信装置の情報を含むリストを取得することと，
前記推奨動作パラメータに基づき、無線パラメータの自己構成を行うことと、
前記自己構成にて用いられた無線パラメータを用いて、前記リストから近傍となる無線通信装置を抽出することと、
前記抽出された近傍となる無線通信装置とのインタフェース構築のためのシグナリングを実施することと、
を実施するための方法。
【符号の説明】
【０１００】
１０    通信制御装置
２０    ネットワーク管理制御装置
２１０    第１の通信部
２２０    第２の通信部
２３０    処理部
２３１      第１の情報取得部
２３２      第１の通知部
２３３      第２の情報取得部
２３４      生成部
２３５      第２の通知部
３０    無線通信装置
３１０    第１の通信部
３２０    第２の通信部
３３０    処理部
３３１      第１の通知部
３３２      情報取得部
３３３      自己構成部
３３４      情報処理部
３３５      第２の通知部
【図１】
2018020818.tif 000004
【図２】
2018020818.tif 000005
【図３】
2018020818.tif 000006
【図４】
2018020818.tif 000007
【図５】
2018020818.tif 000008
【図６】
2018020818.tif 000009
【図７】
2018020818.tif 000010
【図８】
2018020818.tif 000011
【国際調査報告】
2018020818.tif 000012
2018020818.tif 000013
2018020818.tif 000014
2018020818.tif 000015